【事件の表示】
　特許第３１５６１２８号「パチンコ機」の請求項１ないし５に係る特許に対する特許異議の申立てについて、次のとおり決定する。
【結　論】
　訂正を認める。
　特許第３１５６１２８号の請求項１ないし５に係る特許を維持する。
【理　由】
１．手続きの経緯
　本件特許第３１５６１２８号の請求項１ないし５に係る発明についての出願は、平成４年１月２４日に特許出願された特願平４−０３２８８６号の一部を平成１１年１月２５日に新たな特許出願とし、平成１３年２月９日にその発明についての特許権の設定登録がなされ、その後、その特許について、異議申立人、細江裕実より特許異議の申立てがなされ、取消理由を通知したところ、指定期間内に訂正請求（後に取下げ）がなされ、更に取消理由を通知したところ、平成１４年１０月４日に訂正請求がなされたものである。
　
２．訂正請求について
２-1．訂正の内容
　　特許権者が求めている訂正の内容は次のとおりである（下線部が訂正個所である）。
（ａ）特許請求の範囲の請求項１（本件特許公報１頁下段左欄６〜１０行）に記載された「上記特別条件を成立させる手段とは別に遊技店が予め定めたサービスを遊技者に提供するか否かを決定するために複数の識別情報を表示する表示装置を設け、
　前記特別遊技状態が終了したときに前記表示装置が特定の識別情報を表示した場合に、」を、「上記特別条件を成立させる手段とは別に
、
前記特別条件の成立とは無関係である
　前記特別遊技状態が終了したときに前記表示装置が特定の識別情報を表示し
てい
（ｂ）特許請求の範囲の請求項１（本件特許公報１頁下段左欄１０〜１１行）に記載された「遊技者に有利なサービスを行うようにしたことを特徴とするパチンコ機。」を、「遊技者に有利なサービス
としての継続遊技を可能
（ｃ）段落【０００４】（同公報２頁左欄４９行〜同頁右欄５行）に記載された「上記特別条件を成立させる手段とは別に遊技店が予め定めたサービスを遊技者に提供するか否かを決定するために複数の識別情報を表示する表示装置を設け、前記特別遊技状態が終了したときに前記表示装置が特定の識別情報を表示した場合に、遊技者に有利なサービスを行うようにしたパチンコ機である。」を、「上記特別条件を成立させる手段とは別に
、
前記特別条件の成立とは無関係である
てい
としての継続遊技を可能
（ｄ）段落【００３２】（同公報６頁左欄１５〜２０行）に記載された「上記特別条件を成立させる手段とは別に遊技店が予め定めたサービスを遊技者に提供するか否かを決定するために複数の識別情報を表示する表示装置を設け、前記特別遊技状態が終了したときに前記表示装置が特定の識別情報を表示した場合に、遊技者に有利なサービスを行うようにしたので、」を、「上記特別条件を成立させる手段とは別に
、
前記特別条件の成立とは無関係である
てい
としての継続遊技を可能
２-2．訂正の適否
　上記（ａ）の訂正は、「特別条件を成立させる手段とは別に遊技店が予め定めたサービスを遊技者に提供するか否かを決定するために複数の識別情報を表示する表示装置」を、「特別条件を成立させる手段とは別に、遊技店が予め定めたサービスを遊技者に提供するか否かを決定する前記特別条件の成立とは無関係である複数の識別情報を表示する表示装置」と明確にするものであるから、明りょうでない記載の釈明を目的とするものであり、また、（ｂ）の訂正は、「遊技者に有利なサービス」を、「継続遊技を可能に」することに限定するものであるから、特許請求の範囲の減縮を目的とするものであり、さらに、（ｃ）及び（ｄ）の訂正は、発明の詳細な説明の記載を訂正後の特許請求の範囲の記載と整合させるためのものであるから、明りょうでない記載の釈明を目的とするものである。
　そして、（ａ）ないし（ｄ）の訂正は、願書に添付した明細書又は図面に記載した事項の範囲内においてするものであって新規事項を追加するものでなく、かつ、実質上特許請求の範囲を拡張し、又は変更するものではない。
２-3．むすび
　以上のとおりであるから、上記訂正は特許法等の一部を改正する法律（平成６年法律第１１６号）附則第６条第１項の規定によりなお従前の例によるとされる、平成１１年改正前の特許法第１２０条の４第３項において準用する平成６年法律第１１６号による改正前の特許法第１２６条第１項ただし書、第２項及び第３項の規定に適合するので、当該訂正請求を認める。
　
３．特許異議申立てについて
３-1．特許異議申立ての理由の概要
　特許異議申立人は、下記の証拠方法を提示し、本件の請求項１ないし５に係る発明の特許は次の（１）ないし（４）の理由により取り消されるべきものである旨主張する。
（１）本件請求項１、４、５に係る発明は、本件の出願の日前の出願であって、その出願後に出願公開された特願平３−３０６００１号の願書に最初に添付した明細書及び図面（甲第１号証（特開平５−１３７８３７号公報）参照、以下「先願明細書」という。）に記載された発明と同一であるから、特許法第２９条の２の規定により特許を受けることができないものである。
（２）本件請求項１ないし５に係る発明は甲第２号証に記載された発明に基づいて当業者が容易に発明をすることができたものであるから、特許法第２９条第２項の規定により特許を受けることができないものである。
（３）本件請求項１に係る発明は、技術的な要素を特徴としない人為的な営業政策を特徴的な要件とするものであるから、特許法第２９条第１項柱書きの規定により特許を受けることができないものである。
（４）本件請求項１に係る発明は、発明の詳細な説明に記載されていない事項を特許請求の範囲に記載しているから、特許法３６条第５項の規定により特許を受けることができないものである。
　　　　　　　　　　　　　　　　　記
　甲第１号証：特開平５−１３７８３７号公報
　甲第２号証：特開平３−９２１８８号公報
３-2．本件発明
　上記２．で示したように平成１４年１０月４日付け訂正請求書による訂正が認められるから、本件の請求項１ないし５に係る発明（以下、「本件請求項１の発明」〜「本件請求項５の発明」という）は、上記訂正請求書に添付した訂正明細書の特許請求の範囲の請求項１に記載されたとおりの、
　「【請求項１】 特別条件が成立して特別遊技状態に移行して特別装置を遊技者に不利な第１状態から遊技者に有利な第２状態に変換することのできるパチンコ機において、
　上記特別条件を成立させる手段とは別に、遊技店が予め定めたサービスを遊技者に提供するか否かを決定する前記特別条件の成立とは無関係である複数の識別情報を表示する表示装置を設け、
　前記特別遊技状態が終了したときに前記表示装置が特定の識別情報を表示していた場合に、遊技者に有利なサービスとしての継続遊技を可能にしたことを特徴とするパチンコ機。
【請求項２】　前記表示装置は、前記サービスを提供するか否かを決定する識別情報とは異なる表示を、電源投入時または他の入賞口への入球に基づいて行うようにした請求項１に記載のパチンコ機。
【請求項３】　前記表示装置は、球を入賞させる入賞口と一体に形成してある請求項１または請求項２に記載のパチンコ機。
【請求項４】　前記表示装置は、マトリックス表示器からなる請求項１ないし請求項３の何れかに記載のパチンコ機。
【請求項５】　前記特別遊技状態は、打球が特定入賞口に入賞するなど特定条件が成立して権利状態にあるときに打球が始動口に流入することにより開始し、特別装置を遊技者に不利な第１状態から遊技者に有利な第２状態に変換するようにした請求項１ないし請求項４の何れかに記載のパチンコ機。」
である。
３-3．特許法第２９条の２違反について
３-3-1．先願明細書に記載された発明
　本件出願前に出願された特願平３−３０６００１号（特開平５−１３７８３７号公報（甲第１号証））の願書に最初に添付した明細書又は図面（以下、「先願明細書」という）には、次の事項が記載されている。
（ａ-1）「【００１７】パチンコ玉が通過口１６に入った場合、そのパチンコ玉は振分装置部６２のすぐ上の部分で、回転体２０の外周辺によって停止し、通過玉検出器１７によって検出される。通過玉検出器１７がパチンコ玉を検出したことに応答して、可変表示部１５の表示が左から順に停止する。本実施例の装置の場合、停止時の可変表示部１５の表示結果が「ゾロ目」であれば、回転体２０が図１における時計方向に回転する。通過玉検出器１７の部分で滞留していたパチンコ玉は回転体２０の切欠き部に落ち、回転体２０によって特定領域１８に導かれる。・・・特定領域１８にパチンコ玉が誘導された場合には、所定個数のパチンコ玉が景品玉払出口７から払出されるとともに、遊技機の制御が「権利発生」と呼ばれる状態に変わる。
【００１８】権利発生状態とは、始動入賞口２２にパチンコ玉が入賞した場合に、可変入賞球装置６１の玉受部材２１ａ、２１ｂが開成し、パチンコ玉が入賞しやすい第１の状態に変化することが許されるような状態を言う。すなわち、権利発生状態において始動入賞口２２にパチンコ玉が入賞すると、このパチンコ玉は始動入賞玉検出器２３によって検出される。遊技機を制御するマイクロコンピュータなどからなる制御回路（これについては後述する）は、権利発生中に始動入賞玉検出器２３にパチンコ玉が入賞すると以下のような制御を行なう。まず、所定個数のパチンコ玉が景品玉払出口７から払出される。それとともに玉受部材２１ａ、２１ｂが図示されないソレノイドによって開成し、パチンコ玉の入賞しやすい状態となる。玉受部材２１ａ、２１ｂの開成は、開成後所定時間（たとえば１０秒）の経過または可変入賞球装置部６１への１０個以上のパチンコ玉の入賞のいずれか早い条件が成立した時点で終了する。なお、可変入賞球装置部６１へのパチンコ玉の入賞個数は、図１には図示されないカウントスイッチと呼ばれるパチンコ玉検出器によって行なわれる。」（甲第１号証の４頁左欄３〜４０行）、
（ａ-2）「【００２１】パチンコ玉が通過口１６に入賞して以降の可変表示部１５の表示は次のように行なわれる。可変表示部１５は、前述のように通常は可変表示を繰返している。しかし、パチンコ玉が通過口１６を通過して通過玉検出器１７によって検出されると、可変表示部１５に表示される数字は左側から順に停止する。停止したときの表示結果が「ゾロ目」であれば可変表示部１５は、このゾロ目の識別情報を点滅、反転などによって強調して表示する。そしてパチンコ玉が回転体２０によって特定領域１８内に誘導された時点で可変表示部１５が再び可変表示を開始する。同様に可変表示部１５の停止時の表示結果がゾロ目以外の場合にも、所定の比較的短い時間の間表示を停止した後、可変表示を開始する。可変表示部１５が可変表示を再開した後には、可変表示部１５の停止時の表示結果がどのようなものであったかを知ることは、このままではできないことになる。したがって、たとえばその日のラッキー番号として予め特定の番号、たとえば「５」を定めておき、この番号のゾロ目によって権利が発生した場合には、権利消滅時にも継続して景品玉を用いて遊技を続行することを許可し、それ以外の場合には権利の消滅時にパチンコ玉の交換を要求するような営業方針を行なっている場合、権利の消滅時にどのように対応すればよいかが明確に判断しにくくなるというのが従来装置の欠点であった。
【００２２】サイド７セグメント表示器３１ａ、３１ｂは、このような問題を解決するために設けられたものである。すなわち、サイド７セグメント表示器３１ａ、３１ｂは、可変表示部１５の停止時の表示結果がゾロ目である場合に、そのゾロ目の数字を記憶し、表示する。サイド７セグメント表示器３１ａ、３１ｂは可変表示部１５とは別個に設けられているため、可変表示部１５が再び可変表示を開始しても、前回の停止時の表示結果をそのまま表示しておくことができる。」（４頁右欄７〜３９行）、
（ａ-3）「【００２３】なお、ドットマトリクスＬＥＤからなる表示部５７には、その日のラッキー番号などを表示している。」（４頁右欄４９行〜５頁左欄１行）、と記載されている。
３-3-2．対比・判断
３-3-2-1．本件請求項１の発明について
　本件請求項１の発明と先願明細書に記載された発明とを対比すると、先願明細書に記載された発明の「可変入賞球装置６１の玉受部材２１ａ、２１ｂが開成し、パチンコ玉が入賞しやすい第１の状態」及び「サイド７セグメント表示器３１ａ、３１ｂ」が、本件請求項１の発明の「遊技者に有利な第２状態」及び「表示装置」に対応しているから、
　両者は、特別条件が成立して特別遊技状態に移行して特別装置を遊技者に不利な第１状態から遊技者に有利な第２状態に変換することのできるパチンコ機において、
　遊技店が予め定めたサービスを遊技者に提供するか否かを決定する、識別情報を表示する表示装置を設け、前記特別遊技状態が終了したときに前記表示装置が特定の識別情報を表示していた場合に、遊技者に有利なサービスとしての継続遊技を可能にしたパチンコ機ある点で一致し、
　遊技者に有利なサービスとしての継続遊技を可能にするのが、本件請求項１の発明では、「特別条件を成立させる手段とは別に、遊技店が予め定めたサービスを遊技者に提供するか否かを決定する前記特別条件の成立とは無関係である複数の識別情報を表示する表示装置を設け、前記特別遊技状態が終了したときに前記表示装置が特定の識別情報を表示していた場合」であるのに対し、先願明細書に記載された発明では、可変表示部１５に「ゾロ目」が表示され、その「ゾロ目」を記憶し、表示するサイド７セグメント表示器３１ａ、３１ｂの数字がラッキーナンバーである場合である点、
で両者は構成が相違する。
　上記の相違点について検討すると、先願明細書に記載された発明は、可変表示部１５に「ゾロ目」が表示されて権利発生状態になると共に、サイド７セグメント表示器３１ａ、３１ｂにその「ゾロ目」の数字が表示され、さらに、始動入賞口２２にパチンコ玉が入賞した場合に、特別特別遊技状態（可変入賞球装置６１の玉受部材２１ａ、２１ｂが開成し、パチンコ玉が入賞しやすい第１の状態）になるから、サイド７セグメント表示器３１ａ、３１ｂに表示された数字は、特別条件の成立と関係する識別情報ということができ、遊技者に有利なサービスとしての継続遊技を可能にするか否かのみを決定するための表示装置は周知とは認められないので、本件請求項１の発明が先願明細書に記載された発明と同一であるとすることはできない。
３-3-2-2．本件請求項４、５に係る発明について
　本件の請求項４及び５は、いずれも請求項１を引用して記載されており、本件請求項４及び５の発明は、本件請求項１の発明を更に限定されているので、上記「３-3-2-1．本件請求項１の発明について」に記載した理由により本件請求項４及び５の発明が先願の発明とが同一であるとすることはできない。
３-4．特許法第２９条第２項違反について
３-4-1．甲第２号証記載の発明
　甲第２号証（特開平３−９２１８８号公報）には、次の事項が記載されている。
（ｂ）甲第２号証
（ｂ-1）「中央始動入賞口１３ａに打玉が入賞することによって、玉受部材５８ａ，５８ｂが２回開閉動作を行い、左右の始動入賞口１３ｂ，１３ｃに打玉が入賞することによって、玉受部材５８ａ，５８ｂが１回開閉動作を行う。そして、この開閉動作中に玉受部材５８ａ，５８ｂによって導かれた入賞玉が可変入賞球装置５０内に設けられた後述する特定入賞口６９に入賞したときには、いわゆる大当り状態となり、玉受部材５８ａ，５８ｂの相対的に短い時間間隔の開閉動作を１８回行うか、あるいは１８回の開閉動作中に可変入賞球装置５０内に受入れられた入賞玉が１０個検出されるまで開閉動作を行い（以下、開閉サイクルという）、更に、１８回の開閉動作中に再度特定入賞口６９に入賞玉が入賞すると、上記した開閉サイクルを繰返すことができるようになっている。」（３頁右下欄１２行〜４頁左上欄８行）、
（ｂ-2）「大当り状態になると、前記遊技効果ランプ２１ａ，２１ｂ（これを遊技効果ランプＦという）及び前記前面枠２の上部に設けられた遊技効果ランプ２２ａ〜２２ｃ（これを遊技効果ランプＧという）が点滅してその旨を遊技客に報知するようになっている。」（４頁左上欄１３〜１８行）、
（ｂ-3）「前記入賞空間５３の後面壁には、大当り状態となったときの１回の開閉サイクル中に入賞した入賞玉数を表示する入賞個数表示７セグメントＬＥＤ６４と、遊技状態が予め定めた遊技状態（始動入賞時、あるいは大当り時）に駆動表示される遊技効果ランプ６５ａ，６５ｂ（これを遊技効果ランプＡという）が設けられている。」（６頁左上欄４〜１０行）、
（ｂ-4）「下部装飾板６８の下部前面には、発光素子からなる遊技効果ＬＥＤ７１、７２ａ，７２ｂがそれぞれの入賞口６９、７０ａ，７０ｂに対応するように臨み、それぞれ遊技客が遊技をしていない状態、及び通常の遊技状態、あるいは所定の遊技状態となったときに駆動表示されるさようになっている。」（６頁右上欄７〜１３行）、
（ｂ-5）「第１の表示部材の中に７セグメントＬＥＤ５７、６４を含めたが、これは、一般的に７セグメントＬＥＤが複数のＬＥＤ素子（発光ダイオードやエレクトロルミネッセンス）の表面にバーモジュールガラスを被覆したものから構成される点から見ても広義には、発光素子として見なし得るし、同様な理由からドット・マトリックス・パネルも第１の表示部材としてもよい。また、この実施例においては、２つの７セグメントＬＥＤ５７、６４を通常の遊技状態で「０」を表示するようにしたが、他の記号又は文字を表示させたり、表示をスクロールさせたり、あるいは各セグメントを順次点灯移動させたりして、デモンストレーション動作をさせてもよい。」（７頁左上欄１８行〜同頁右上欄１１行）、
（ｂ-6）「１８回開閉前処理が終了したと判別された場合には、玉受部材５８ａ，５８ｂの１８回開閉処理が開始され（ステップＳ１８）、それが開始されると、ＬＥＤ「Ａ」「Ｂ」「Ｃ」点滅処理Ｃが開始され（ステップＳ１９）、ランプＡ〜Ｇ点滅処理Ｂが開始される（ステップＳ２０）。ＬＥＤ「Ａ」「Ｂ」「Ｃ」点滅処理Ｃ及びランプＡ〜Ｇ点滅処理Ｂは、具体的には、第４図の５列目に示されるように、第１の表示部材である遊技効果ＬＥＤ「Ａ」「Ｃ」を点滅させ、遊技効果ＬＥＤ「Ｂ」を点灯させる表示状態であり、第２の表示部材である遊技効果ランプＡ〜Ｇをすべて点滅させる表示態様である。なお、ＬＥＤ「Ａ」「Ｂ」「Ｃ」点滅処理Ｃと前記ＬＥＤ「Ａ」「Ｂ」「Ｃ」点滅処理Ａとは、第４図に示す態様は、同じであるが、実際には、点滅する時間間隔等を異ならせて、遊技客には、異なる印象を与えるようにしている。」（９頁左下欄８行〜同頁右下欄５行）、と記載されている。
３-4-2．対比・判断
３-4-2-1．本件請求項１の発明について
　本件請求項１の発明と甲第２号証に記載された発明とを対比すると、甲第２号証記載の発明は、本件請求項１の発明の構成要件である「特別条件を成立させる手段とは別に、遊技店が予め定めたサービスを遊技者に提供するか否かを決定する前記特別条件の成立とは無関係である複数の識別情報を表示する表示装置を設け、前記特別遊技状態が終了したときに前記表示装置が特定の識別情報を表示していた場合に、遊技者に有利なサービスとしての継続遊技を可能にした」構成を備えていない。
　なお、異議申立人は、回答書で提示した特開平2-174879号公報には、ディスプレイ（５）に、３桁とも同じ数字が揃った場合に、その揃った数字がラッキーナンバーである場合に継続遊技を可能にすることが記載されているが、上記構成は記載されていない。
　そして、本件請求項１の発明は特許明細書に記載の効果を奏するものである。
　したがって、本件請求項１の発明が、甲第２号証に記載された発明に基いて、当業者が容易に発明をすることができたものとすることはできない。
３-4-2-2．本件請求項２ないし５の発明について
　本件の請求項２ないし５は、いずれも請求項１を引用して記載されており、本件請求項２ないし５の発明は、本件請求項１の発明を更に限定するものであるので、上記「３-4-2-1．本件請求項１に係る発明について」に記載した理由により本件請求項４及び５の発明が先願の発明とが同一であるとすることはできない。
３-5．特許法第２９条柱書き違反について
　異議申立人は、本件特許発明の「特別遊技状態が終了したときに前記表示装置が特定の識別情報を表示していた場合に、遊技者に有利なサービスとしての継続遊技を可能にした」構成について、「継続遊技」を行わせるかどうかは、遊技店の任意に決定し得る営業政策そのものであり、本件の特徴的要件である「サービス」の提供内容は遊技店が適宜決めることが可能であり、技術的要素を含まず、人為的な取り決めであって、特許法第２９条第１項柱書きの要件を満たさないものである旨主張する。
　しかしながら、上記訂正によって、本件請求項１ないし５の発明の「サービス」は「遊技者に有利なサービスとしての継続遊技」と限定されており、また、本件請求項１ないし５の発明は、パチンコ機に関する発明、すなわち、物の発明であって、上記構成は表示装置の機能を特定しているから、異議申立人の主張は採用できない。
　
３-6．特許法第３６条要件違反について
　異議申立人は、本件請求項１ないし５の発明の「遊技者に有利なサービス」について、本件特許明細書には、「獲得した賞球に基づく継続遊技」が記載されているのみであり、「遊技者に有利なサービス」として如何なるものが含まれるか、不明確である旨主張するが、「遊技者に有利なサービス」は、上記訂正によって「遊技者に有利なサービスとしての継続遊技」と限定されたので、異議申立人の主張する不備は解消された。
　
３-７．むすび
　以上のとおりであるから、特許異議の申立ての理由によっては本件請求項１ないし５の発明についての特許を取り消すことはできない。
　また、他に本件請求項１ないし５の発明についての特許を取り消すべき理由を発見しない。
　したがって、本件請求項１ないし５の発明の特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１４年１１月２０日（２００２．１１．２０）
【訂正の要旨】
訂正の要旨
　特許第３１５６１２８号発明の明細書を本件訂正請求書に添付した訂正明細書のとおりに、すなわち、特許請求の範囲の減縮を目的として下記（ｂ）のとおりに訂正し、明りょうでない記載の釈明を目的として下記（ａ）（ｃ）及び（ｄ）のとおりに訂正する。
（ａ）特許請求の範囲の請求項１（本件特許公報１頁下段左欄６〜１０行）に記載された「上記特別条件を成立させる手段とは別に遊技店が予め定めたサービスを遊技者に提供するか否かを決定するために複数の識別情報を表示する表示装置を設け、
　前記特別遊技状態が終了したときに前記表示装置が特定の識別情報を表示した場合に、」を、
「上記特別条件を成立させる手段とは別に
、
前記特別条件の成立とは無関係である
　前記特別遊技状態が終了したときに前記表示装置が特定の識別情報を表示し
てい
（ｂ）特許請求の範囲の請求項１（本件特許公報１頁下段左欄１０〜１１行）に記載された「遊技者に有利なサービスを行うようにしたことを特徴とするパチンコ機。」を、
「遊技者に有利なサービス
としての継続遊技を可能
（ｃ）段落【０００４】（同公報２頁左欄４９行〜同頁右欄５行）に記載された「上記特別条件を成立させる手段とは別に遊技店が予め定めたサービスを遊技者に提供するか否かを決定するために複数の識別情報を表示する表示装置を設け、前記特別遊技状態が終了したときに前記表示装置が特定の識別情報を表示した場合に、遊技者に有利なサービスを行うようにしたパチンコ機である。」を、
「上記特別条件を成立させる手段とは別に
、
前記特別条件の成立とは無関係である
てい
としての継続遊技を可能
（ｄ）段落【００３２】（同公報６頁左欄１５〜２０行）に記載された「上記特別条件を成立させる手段とは別に遊技店が予め定めたサービスを遊技者に提供するか否かを決定するために複数の識別情報を表示する表示装置を設け、前記特別遊技状態が終了したときに前記表示装置が特定の識別情報を表示した場合に、遊技者に有利なサービスを行うようにしたので、」を、
「上記特別条件を成立させる手段とは別に
、
前記特別条件の成立とは無関係である
てい
としての継続遊技を可能
（５４）【発明の名称】
パチンコ機
（５７）【特許請求の範囲】
　【請求項１】　特別条件が成立して特別遊技状態に移行して特別装置を遊技者に不利な第１状態から遊技者に有利な第２状態に変換することのできるパチンコ機において、
　上記特別条件を成立させる手段とは別に遊技店が予め定めたサービスを遊技者に提供するか否かを決定するために複数の識別情報を表示する表示装置を設け、
　前記特別遊技状態が終了したときに前記表示装置が特定の識別情報を表示した場合に、遊技者に有利なサービス
としての継続遊技を可能
　【請求項２】　前記表示装置は、前記サービスを提供するか否かを決定する識別情報とは異なる表示を、電源投入時または他の入賞口への入球に基づいて行うようにした請求項１に記載のパチンコ機。
　【請求項３】　前記表示装置は、球を入賞させる入賞口と一体に形成してある請求項１または請求項２に記載のパチンコ機。
　【請求項４】　前記表示装置は、マトリックス表示器からなる請求項１ないし請求項３の何れかに記載のパチンコ機。
　【請求項５】　前記特別遊技状態は、打球が特定入賞口に入賞するなど特定条件が成立して権利状態にあるときに打球が始動口に流入することにより開始し、特別装置を遊技者に不利な第１状態から遊技者に有利な第２状態に変換するようにした請求項１ないし請求項４の何れかに記載のパチンコ機。
【発明の詳細な説明】
　【０００１】
　【発明の属する技術分野】
　この発明はパチンコ機に関し、詳しくは、特別条件が成立して特別遊技状態に移行して特別装置を遊技者に不利な第１状態から遊技者に有利な第２状態に変換することのできるパチンコ機に関する。このようなパチンコ機として、例えば打球が特定入賞口に入賞するなど特定条件が成立して権利状態にあるときに、打球が始動口に流入することにより、遊技者に不利な第１状態から遊技者に有利な第２状態に変換可能な特別装置を、第２状態に変換することのできる所謂第３種パチンコ機がある。
　【０００２】
　【従来の技術】
　周知のように、この種のパチンコ機は数多く開発されている。例えば、特開平２−１７２４８２号公報では、権利状態を創出する権利発生装置を、入賞領域を拡大縮小可能な入賞具で構成し、この入賞具には一般入賞口と権利を発生させる特別入賞口とを形成したものが提案されている。
　【０００３】
　【発明が解決しようとする課題】
　しかしながら、従来のパチンコ機においては、入賞具に入球してから一般入賞口または特別入賞口へ入賞するまでに時間的な余裕があり、上記入賞具に複数の入球があった場合に、タイミングによっては先行する球が特別入賞口へ入賞し、後続の球も特別入賞口へ入賞することがある。従って、先行球によって権利が発生しても、すぐに後続球によって権利が消滅してしまう虞れがある。そこで、遊技者は、権利発生装置である入賞具を狙って弾発し、打球が入賞具に入球した場合に、球の行方が確定するまで、一時停止ボタンを作動させて打球の発射を停止したり、ハンドルを操作して打球が入賞具へ入らないように飛距離を調整している。このため、無駄球が発生し易く、遊技意欲が上がらない。また、パチンコ店にとってもパチンコ機の稼動が一時停止するので、稼働率が下がる。
　また一方、前記のようなパチンコ機によれば、運のよい或いは遊技技術に長けた遊技者は大量の賞球を獲得可能である。しかし、遊技店にしてみれば、獲得した賞球を使って遊技を続けられると売上が上がらない。そこで、遊技店によっては、例えば上記権利が消滅した場合に、その権利中に獲得した賞球を景品に交換し、更に遊技を続ける場合には新たに貸玉を受けることを要求し、獲得した賞球で遊技することを禁止している。
　しかしながら、賞球による遊技を一様に禁止してしまうと、遊技者に不満が出るので、所定の条件をクリアした一部の遊技者には獲得した賞球による遊技を可能にするサービスを実施している。
　【０００４】
　【課題を解決するための手段】
　本発明は上記に鑑み提案されたもので、請求項１に記載した発明は、特別条件が成立して特別遊技状態に移行して特別装置を遊技者に不利な第１状態から遊技者に有利な第２状態に変換することのできるパチンコ機において、上記特別条件を成立させる手段とは別に遊技店が予め定めたサービスを遊技者に提供するか否かを決定するために複数の識別情報を表示する表示装置を設け、前記特別遊技状態が終了したときに前記表示装置が特定の識別情報を表示した場合に、遊技者に有利なサービス
としての継続遊技を可能
　請求項２に記載した発明は、請求項１の構成に加えて、前記表示装置は、前記サービスを提供するか否かを決定する識別情報とは異なる表示を、電源投入時または他の入賞口への入球に基づいて行うようにしたパチンコ機である。
　請求項３に記載した発明は、請求項１または請求項２の構成に加えて、前記表示装置は、球を入賞させる入賞口と一体に形成してあるパチンコ機である。
　請求項４に記載した発明は、請求項１ないし請求項３の何れかの構成に加えて、表示装置は、マトリックス表示器からなるパチンコ機である。
　請求項５に記載した発明は、請求項１ないし請求項４の何れかの構成に加えて、前記特別遊技状態は、打球が特定入賞口に入賞するなど特定条件が成立して権利状態にあるときに打球が始動口に流入することにより開始し、特別装置を遊技者に不利な第１状態から遊技者に有利な第２状態に変換するようにしたパチンコ機である。
　【０００５】
　【発明の実施の形態】
　以下、本発明を図面の実施形態について説明すると、図１はパチンコ機における遊技盤１の正面図であって、ガイドレール２で囲まれる遊技部３のほゞ中央鉛直線に沿って、振分装置を構成するセンター役物４、該センター役物４に設けた後述する通過口中２１ｃに臨む通過口中スイッチ６′、特定入賞口を構成するセンター下役物５、特別装置作動スイッチ６が臨む特別装置作動領域を有する特別装置作動装置７、最下位置にはアウト口８が開設してあり、センター役物４の左右側方には始動入賞球スイッチ９ａ，９ｂが臨む第１始動入賞具１０ａ及び第２始動入賞具１０ｂが配設してある。また、右側の第２始動入賞具１０ｂには回転振分手段が設けてある。そして、この第２始動入賞具１０ｂの下方には、大入賞口を構成する特別装置として、打球の流入ができず遊技者に不利な第１状態と打球の流入が極めて容易で遊技者に有利な第２状態とに変換可能な変動入賞装置１１が配設してある。尚、遊技部３の適宜位置に各種の表示灯１２…、風車１３…等を配設し、パチンコ機の上縁部には外部表示灯１４を設けるようにしてある。また、この実施形態では、後述する所定条件が成立すると共に特定条件が成立したときに、特別条件が達成されて特別遊技状態に移行するように設定してある。
　【０００６】
　本実施形態において所定条件を創出するため所定条件成立手段の一例としてのセンター役物４は、図２に示すように、基板２０の前面側下方に３個の球通過口２１…を有すると共に、球をこれらの球通過口２１…の何れかに振り分けることのできる回転板２２を有した振分装置を構成する。この回転板２２は、表面側の中央部に周縁に向けてほゞ等間隔で三方向へ放射状に延びる中央障害部材２３ａと、周縁部にピン状に複数突設した障害柱２３ｂ…とを障害部材２３として有しており、例えばモータＡ（図示せず）を駆動源として、一回転２秒で時計方向に回転する。また、回転板２２の上方には、球導入口２４ａを設けると共に、折り返し状の球導入路２４を形成し、該球導入路２４の球放出口２４ｂを上記回転板２２の上方に開口させる。従って、球導入口２４ａに流入した球は、球導入路２４を通って回転板２２の上方から落下し、この回転板２２の障害部材２３に影響されて、中央に位置する通過口中２１ｃ、左右に位置する通過口左２１ｌまたは通過口右２１ｒの何れかに流入し、当該通過口２１…を通過して遊技盤１の裏面側へ排出される。このとき、通過口中２１ｃを通過する球は、通過口中スイッチ６′により検出された後、その位置関係により、後述するセンター下役物５へ裏連動球として作用する。そして、このセンター役物４の各通過口２１…を通過する球の行方は直ちに判別できる。尚、図示の実施形態においては、回転板２２の側方が開放されているが、遊技盤１に植設する障害釘により回転板２２上の球の左右側方への飛び出し及び飛び込みを阻止してある。
　【０００７】
　本実施形態において特定条件成立手段として機能するセンター下役物５は、所謂２回開きチューリップで構成してあり、一対の回動自在な開閉翼片３０を有して、打球が入り難い第１状態と打球が入り易い第２状態とに変換可能である。即ち、開閉翼片３０が起立した第１状態にあるときは、打球を真上からしか受け入れないが、打球を受け入れると開閉翼片３０が左右に傾動して側方からも打球の受け入れが可能な第２状態に変換する。そして、この第２状態においては２発の打球を受け入れるまで開放状態を維持するように構成してあり、２発目の打球が入球すると、開閉翼片３０が第１状態に復帰する。
　【０００８】
　このセンター下役物５は、図３の（Ａ）ないし（Ｄ）に示すように、取付基板３１の前面側に、上部及び底部並びに背面側が開口するポケット枠３２を止着し、このポケット枠３２の前面板３２ａの裏面側に支軸３３を突設し、この支軸３３に一対の開閉翼片３０を軸着する。また、上記前面板３２ａの裏面側には球を後述する箱枠３４方向へ誘導する第１案内リブ３２ｂを設けると共に、取付基板３１の裏面側に設けた箱枠３４に球を再びポケット枠３２方向へ誘導する第２案内リブ３４ａを設けて球通路３５を形成する。そして、上記箱枠３４内には球通路３５を通る球により回転して開閉翼片３０を開閉する作動体３６を設ける。尚、この作動体３６には板バネ３７を圧接させて当該作動体３６の妄動を防止する。
　【０００９】
　上記作動体３６は、図３（Ｄ）に示すように、回転中心から等間隔で放射状に延出する３枚の球受係合片３６ａ，３６ｂ，３６ｃを設け、これらの球受係合片３６ａを上記球通路３５内に臨ませ、球が通過する際にほゞ１２０度回転するように構成する。また、作動体３６の両側端部にはほゞ１／３円弧状に延出する係合板３６ｄを設け、開閉翼片３０の裏面側に突設した突起３０ａがこれらの係合板３６ｄに内側から係止すると、開閉翼片３０が起立した第１状態を保持する。
　【００１０】
　従って、第１状態にある開閉翼片３０の間に球が流入して球通路３５を通過し、下方へ抜ける際、この球は作動体３６の最初の球受係合片３６ａに作用して当該作動体３６をほゞ１２０度回動させるので、開閉翼片３０の突起３０ａと作動体３６の係合板３６ｄとの係合が外れ、開閉翼片３０が自重により外向きに傾動して第２状態に変換する。そして、次の球が開閉翼片３０の間に流入して球通路３５を通過すると、この球は作動体３６の球受係合片３６ｂに当接して当該回転体をほゞ１２０度回動させる。しかし、この状態では突起３０ａと係合板３６ｄとは係合しないので、開閉翼片３０は第２状態のままである。更に、次の球が球通路３５を通過する際に球受係合片３６ｃに当接して回転体３６がほゞ１２０度回転すると、係合板３６ｄが開閉翼片３０の突起３０ａの内側に位置して係合するので、開閉翼片３０が第１状態に復帰する。
　【００１１】
　そして、図示の実施形態においては、センター役物４が遊技盤１の裏側へ取り込んだ球によって裏連動が可能なように、揺動自在な球受レバー３８を設けると共に、該球受レバー３８の揺動を規制するための拘束部材３９を軸着してある。また、上記球受レバー３８の先端には前記した作動体３６の球受係合片３６ｃの一つに係合して作動体３６を球が通過するのと同様にほゞ１２０度回動させる作動爪３８ａが設けてある。更に、球受レバー３８には当該球受レバー３８をほゞ水平を保つように付勢する重錘３８ｂが設けてある。従って、遊技盤１の裏面側へ取り込んだ球が、箱枠３４に流入すると、先ず、拘束部材３９が若干回動して球受レバー３８との係合が解け、球受レバー３８が重錘３８ｂの付勢に抗して揺動し、作動爪３８ａで作動体３６をほゞ１／３回転させて、開閉翼片３０を第２状態に変換させる。尚、作動体３６の球受係合片３６…は一つのみ幅広に形成すると共に他の２つを幅狭に形成してあるので、開閉翼片３０が第２状態にあるときに連動球が続けて箱枠３４に流入しても、球受レバー３８の先端の作動爪３８ａが空を切ることになり、第２状態のときに連動球が流入しても開閉翼片３０の開放状態を維持する。
　【００１２】
　従って、図示の実施形態においては、センター役物４の通過口中２１ｃへ流入した球は、裏連動球として遊技盤１の裏面側からセンター下役物５の球受レバー３８上に落下し、これにより所定条件が成立し、特定入賞口を構成している特定条件成立手段としてのセンター下役物５を、打球が入球し易い第２状態に変換させ、特定条件が成立し易くなる。そして、この第２状態において開閉翼片３０の間に流入する球は、球通路３５を通って特別装置作動装置７へ落下し、特別条件を達成可能にする。従って、遊技者は、センター下役物５の回動翼片３０が開放したら、このセンター下役物５を狙って打球を発射すればよい。
　【００１３】
　上記のような構成のセンター下役物５の下方に位置し、変動入賞装置１１を作動させるための特別装置作動装置７は、図４に示すように、特別装置作動領域を形成する一つの特別入賞口４０と、通常の入賞となる二つの一般入賞口４１とを三角形の各頂点に位置するように開設した取付基板４２と、上方の球入口４３ａを残して上記各入賞口４０，４１，４１を囲繞するように突設した囲い壁４３とを有し、この囲い壁４３に囲まれた領域が入賞領域を形成する。そして、この入賞領域のほゞ中央には上面が特別入賞口４０の下縁に臨む振分部材４４を突設する。従って、センター下役物５から落下する球は、球入口４３ａから入賞領域へ流入し、振分部材４４の上面に載った球は特別装置作動領域である特別入賞口４０へ流入可能であるが、上面に載れなかった球は左右の一般入賞口４１，４１へ流入する。そして、特別入賞口４０へ流入した球は特別装置作動スイッチ６に作用する。
　【００１４】
　センター役物４の左側に位置する第１始動入賞具１０ａは、始動入賞球スイッチ９ａを臨ませた通常の入賞具で構成してある。
　【００１５】
　一方、センター役物４の右側に位置する第２始動入賞具１０ｂは、図６ないし図７に示すように、取付板５０の前面側にモータＢを駆動源とする円筒状の回転部材５１を軸着し、この回転部材５１の側周面に球一個を受入可能な断面ほゞＵ字形の球受凹部５２を設ける。また、回転部材５１の周囲には、上部に球の直径より若干幅広な球受入口５３を開設した囲繞壁５４を設ける。そして、上記取付板５０には回転部材５１の球受凹部５２と連通可能な位置に球出口５５を開設する。また、上記取付板５０の裏面側にはガイド壁５６を設けると共にカバー体５７を止着して、上記球出口５５に連通する球連通路５８を形成し、この球連通路５８には始動入賞球スイッチ９ｂを臨ませる。尚、上記カバー体５７にはモータ取付ボス５７ａを設け、この取付ボス５７ａを介してモータＢが取り付けてある。また、図中、符号Ｇはガラスである。
　【００１６】
　上記のような構成の第２始動入賞具１０ｂにおいては、例えば１分間に５回転するモータＢを適用すると、回転部材５１は１２秒で一回転する。そこで、遊技部３を流下する球が囲繞壁５４の球受入口５３に入っても、球受入口５３と球受凹部５２とが一致していないときは、球は回転部材５１の側周面に載って球受凹部５２が巡って来るまで待機する。そして、球受凹部５２が巡って来ると、当該球受凹部５２にこの球が嵌入し、回転部材５１の回転に伴って球出口５５に移送され、球出口５５から球連通路５８を通って始動入賞球スイッチ９ｂに作用したのち、遊技盤１の裏面側へ排出される。従って、遊技盤１を流下する打球が連続して球受入口５３へ到達しても、一発目の球が始動入賞球スイッチ９ｂをオンさせた後、次の球が始動入賞球スイッチ９ｂをオンさせるには少なくとも１２秒の間隔が開くことになる。
　【００１７】
　大入賞口である特別装置は、例えば変動入賞装置１１からなり、この変動入賞装置１１は、図５の（Ａ）及び（Ｂ）に示すように、ベース板６０の前面に打球を受入れるポケット６１と、該ポケット６１の上縁開口縁の左右に一対の回動翼片６２を設けて構成している。
　【００１８】
　上記ポケット６１はベース板６０の下半部に止着され、上記ベース板６０に開設した通孔６０ａに連通する。そして、回動翼片６２，６２間の上方開口部から流入する球をこの通孔６０ａを通して遊技盤１の裏面側に取込可能に構成してある。そして、ポケット６１の前面には飾板６３を貼設して上記開口部を覆うと共に、この飾板６３に２本の支軸６４を後方へ向けて植設し、前記回動翼片６２を回動自在に軸支する。
　【００１９】
　回動翼片６２は軸支側基端部分に凹部６２ａを設け、該凹部６２ａにベース板６０に開設した透孔６０ｂを通して後述する揺動部材６５の揺動突起６５ａを遊嵌させる。この回動翼片６２を回動させる駆動伝達機構は、ソレノイド６６の励磁によって前後方向にスライドするプランジャ６６ａの運動を回動翼片６２の回動運動に変換するもので、長さのほゞ中央をカバー部材６７に軸着した揺動杆６８の一端に設けた長孔６８ａにプランジャ６６ａをピンで連結し、この揺動杆６８の他端と上記した揺動部材６５とを連結杆６９を介して連絡してなる。
　【００２０】
　また、上記ポケット６１の開口上端には１０カウントスイッチ７０として機能する球検出器を臨ませ、回動翼片６２の間に流入する球を検出可能とする。
　【００２１】
　上記のように構成された変動入賞装置１１は、常態においてソレノイド６６が消磁し、戻りスプリング６６ｂの付勢によってプランジャ６６ａが後退しているので、揺動部材６５の揺動突起６５ａが上向きとなり、回動翼片６２の先端が閉じて打球の流入が不可能な第１状態となっている。一方、ソレノイド６６を励磁するとプランジャ６６ａがスライドして揺動杆６８及び連結杆６９を介して揺動部材６５が支軸６５ｂを支点に揺動するので、揺動部材６５の揺動突起６５ａが下向きに回動し、これにより回動翼片６２が傾動して大入賞口が開放されて打球が流入し易い第２状態に変換する。
　【００２２】
　尚、図示の実施形態においては、特別装置として、回動翼片を有する変動入賞装置を示しているが、例えばゲート板を有する所謂アタッカー形式の変動入賞装置を適用することも可能である。
　【００２３】
　更に、図示の実施形態においては、遊技部３の下方部分の左右で所謂「落し」の位置には、例えば発光ダイオードからなるマトリクス表示器を落し入賞具と一体に形成した表示装置が配設してある。そして、右側の表示装置は始動入賞具１０ａまたは１０ｂに入賞した球数を表示する始動口入賞球数表示器７１となっており、左側の表示装置は、ドットマトリクスによるメッセージ表示器７２で、遊技店が利用することが可能であって、例えば、電源投入時は、機種名等のメッセージを、通過口中２１ｃに入賞時は「ＧＯ」を、特別装置作動装置７の作動開始時、及び特別装置作動装置７が作動中で変動入賞装置１１の初回の開放時は、「０〜９」の数字をそれぞれ右から左へ点灯移動表示し、特別装置作動装置７が作動中で変動入賞装置１１が１回以上開放した後における変動入賞装置１１の閉止中並びに開放中、及び特別装置作動装置７が作動停止後は、識別情報として「０〜９」の数字のいずれかを点灯表示する。そして、特別遊技状態が終了したときに、即ちこの実施形態では権利を消化したときに、特定の数字が点灯していた場合には、獲得した賞球を用いて継続して遊技ができるようにパチンコ台を開放できる「当りくじ」等を構成することができ、遊技店のサービスに利用する。
　【００２４】
　次に、上記のようなパチンコ機の遊技について説明すと、図８は遊技をパチンコ機の制御系統のブロック図であり、ＭＰＵを中心とする制御装置に、入力回路及び出力回路を介して、パチンコ機に適宜配設した諸装置を適宜回路を介して接続してある。そして、パチンコ機の電源を投入すると、センター役物４の回転板２２及び第２始動入賞具１０ｂの回転部材５１が所定の速度で回転を開始する。尚、パチンコ機にエラーが発生した場合には、所定の表示灯１２…を点滅させ、且つ効果音を発声させるように設定してある。
　【００２５】
　遊技者は、先ず、図９に示すように、打球発射装置の操作ハンドルを操作してＡのラインを狙って打球を発射する。この打球がセンター役物４の球導入口２４ａに流入すると、回転板２２により振り分けられる。そして、振り分けられた球が中央の通過口中２１ｃに入ると、通過口中スイッチ６′に作用して前記したメッセージ表示器７２を作動後、遊技盤１の裏面側を通って直下に配置した特定入賞口を構成しているセンター下役物５に裏連動球として流入し、当該センター下役物５の開閉翼片３０を打球が入賞し易い第２状態に変換する。
　【００２６】
　そこで、遊技者は、上記特定入賞口を構成しているセンター下役物５を狙うべくＢのラインに沿って打球を発射する。そして、このセンター下役物５は２回開きのチューリップとなっているので、特別入賞口４０へ入るチャンスが２度あり、開閉翼片３０の間へ２発の打球が入賞する迄、開放状態を維持する。
　【００２７】
　そして、センター下役物５に入球し、球通路３５を通過して特別装置作動装置７へ落下した球が特別入賞口４０へ流入すると、特別装置作動スイッチ６が作動するため特定条件が成立して権利状態となる。即ち、前記所定条件及び特定条件が成立して特別条件が達成されて特別遊技状態に移行する。従って、次に遊技者は例えばＣのラインから第１始動入賞具１０ａを狙って弾発する。そして、この第１始動入賞具１０ａへ入球して変動入賞装置１１が作動を開始すると、約１０秒経過するかまたは１０個の球が流入する迄、回動翼片６２を開放して打球が入賞し易い第２状態に変換する。従って、この第２状態に変換したならば、遊技者は、次に変動入賞装置１１を狙うＤのラインへ弾発する。このＤのライン上には第２始動入賞具１０ｂが存在するが、この２始動入賞具には回転部材５１が設けてあり、この回転部材５１は１２秒で一回転するように設定してあるので、変動入賞装置１１が開放中に次の打球が第２始動入賞具１０ｂへ流入することがなく、変動入賞装置１１の作動が終了するまで第２始動入賞具１０ｂの上で待機する。従って、遊技者はＤのラインに沿って変動入賞装置１１を狙って弾発することにより権利を有効に活用して多数の賞球を獲得することができる。尚、権利状態になったらＤのラインから第２始動入賞具１０ｂを狙って弾発して良いのはいうまでもない。
　【００２８】
　このようにして、遊技の各段階に応じて、打球の発射コースを変更するので権利状態にあるときに、続けて特別装置作動領域に流入して特別装置作動スイッチ６が作動するために、所謂パンクを起こして充分な利益を獲得する前に権利が消滅することがない。また、変動入賞装置１１と方の始動入賞具である第２始動入賞具１０ｂとが同一ライン上に位置しているので、無駄球を消費することもない。
　【００２９】
　一方、遊技店にしても、権利が発生するか否か、打球の行方を見定めるために、遊技者が打球の発射を一時停止させることがないので、遊技台の稼働率が上がり営業成績の向上に繋がる。
　【００３０】
　尚、上記のような実施形態のパチンコ機においては、変動入賞装置１１が作動中に、左右の始動入賞具１０ａ，１０ｂに、実際には向って右側の第２始動入賞具１０ｂが中心となるが、合計１６個の打球が入球するか、変動入賞装置１１が作動中に再び特別装置作動装置７の特別入賞口４０へ流入すると、変動入賞装置１１の作動は停止する。また、変動入賞装置１１の最大開放回数は１６回に設定してある。そして、大入賞口である変動入賞装置１１に入球した入賞球に対しては各々１５個の賞球を払い出し、大入賞口以外の入賞口へ入球した入賞球に対しては各々７個の賞球を払い出すように設定してある。更に、遊技の各段階に応じて各表示灯１２…を点灯或は点滅させ、或はメッセージ表示器７２に適宜なメッセージを表示すると共に、遊技の状況に応じた効果音をスピーカーから放声して遊技の雰囲気を盛り上げるように設定してある。
　また、特別遊技状態が終了したときに、メッセージ表示器７２が表示する数字が予め定めた数字と一致する場合には、獲得した賞球を用いた継続遊技を許可する遊技店のサービスを提供する。
　【００３１】
　以上本発明を図面の実施形態について説明したが、本発明は上記した実施形態に限定されるものではなく、特許請求の範囲に記載した構成を変更しない限り適宜に実施できる。例えば、可変図柄表示装置が所定の表示態様を表示することを特別条件として特別遊技状態を開始するようにしてもよい。
　【００３２】
　【発明の効果】
　以上要するに本発明は、特別条件が成立して特別遊技状態に移行して特別装置を遊技者に不利な第１状態から遊技者に有利な第２状態に変換することのできるパチンコ機において、上記特別条件を成立させる手段とは別に遊技店が予め定めたサービスを遊技者に提供するか否かを決定するために複数の識別情報を表示する表示装置を設け、前記特別遊技状態が終了したときに前記表示装置が特定の識別情報を表示した場合に、遊技者に有利なサービス
としての継続遊技を可能
【図面の簡単な説明】
　【図１】
　遊技盤の概略正面図である。
　【図２】
　センター役物の一部欠截斜視図である。
　【図３】
　センター下役物を示し、（Ａ）は一部欠截正面図、（Ｂ）は断面にした側面図、（Ｃ）は断面にした平面図、（Ｄ）は作動体の斜視図である。
　【図４】
　特別装置作動装置の斜視図である。
　【図５】
　特別装置としての変動入賞装置を示し、（Ａ）は一部を欠截した正面図、（Ｂ）は断面にした側面図である。
　【図６】
　第２始動入賞具の動作を示し、（Ａ）は球受入口と回転部材の球受凹部が連通する状態の正面図、（Ｂ）は同上の断面図である。
　【図７】
　第２始動入賞具の動作を示し、（Ａ）は回転部材が回転して球受入口から球受凹部が外れた状態の正面図、（Ｂ）は同上の断面図である。
　【図８】
　制御系統のブロック図である。
　【図９】
　遊技盤上の諸装置及び障害釘の配置を示す正面図である。
　【符号の説明】
　　１　遊技盤
　　４　センター役物
　　５　センター下役物
　　６　特別装置作動スイッチ
　　７　特別装置作動装置
　　９ａ，９ｂ　始動入賞球スイッチ
　１０ａ，１０ｂ　始動入賞具
　１１　特別装置としての変動入賞装置
　７２　表示装置としてのメッセージ表示器